(57)【特許請求の範囲】
【請求項１】
タクシー料金を算出する料金算出手段と、前記料金算出手段によって算出された前記タクシー料金が表示される表示部と、を有するタクシーメータにおいて、
予約時刻と、前記予約時刻に対応する予約場所と、を含む予約情報が記憶される予約情報記憶部と、
現在時刻を取得する現在時刻取得手段と、
前記現在時刻が前記予約時刻から所定の予告遡及時間を遡った時刻に達したとき、前記予約時刻が近づいている旨を報知する予約時間予告手段と、
現在位置を取得する現在位置取得手段と、
前記予告遡及時間として前記現在位置と前記予約場所との関係に応じた時間を設定する予告遡及時間設定手段と、
を有していることを特徴とするタクシーメータ。
【請求項２】
前記料金算出手段が、前記現在時刻が前記予約時刻に達したとき又は達するまでに、前記タクシー料金に所定の予約料金を加算するように構成されている
ことを特徴とする請求項１に記載のタクシーメータ。
【請求項３】
遠隔地にある予約情報管理センターから送信された予約情報を無線を通じて受信する受信部と、
前記受信部によって受信された前記予約情報を前記予約情報記憶部に記憶させる情報書込手段と、をさらに有している
ことを特徴とする請求項１又は２に記載のタクシーメータ。
【発明の詳細な説明】
【技術分野】
【０００１】
本発明は、タクシー車両に搭載されるタクシーメータに関するものである。
【背景技術】
【０００２】
タクシー営業においては、タクシー車両の配車の予約申し込みを受け付けて、予約時刻に乗客を迎えにいく運用がなされている。例えば、特許文献１には、このようなタクシーの運用を効率的に行うためのタクシー予約システムが開示されている。
【０００３】
タクシーの予約は、例えば、乗客からタクシー配車を管理する営業事務所等に予約申し込みがあると、予約時刻に配車可能なタクシー車両が検索され、そして、検索されたタクシー車両に対して当該事務所からタクシー無線を通じて乗務員に予約時刻や予約場所などの予約に関する情報の連絡がされていた。または、業務当日以前に予約申し込みがあった場合には、業務開始前に乗務員に予約に関する情報が連絡されていた。
【先行技術文献】
【特許文献】
【０００４】
【特許文献１】特開２００３−１５１０８１号公報
【発明の概要】
【発明が解決しようとする課題】
【０００５】
しかしながら、予約に関する情報は、乗務員又は事務所担当者などが業務連絡書等の紙媒体などに記録してその情報が保持されるものであるので、乗務員において当該紙媒体を参照することなどにより予約時刻を把握しておく必要があり、そのため、予約がされていることを失念してしまい、予約時刻になっても予約場所に向かわず結果的に迎車拒否してしまったり、または、予約時刻に遅れて予約場所に到着することになってしまったりするという問題があった。
【０００６】
本発明は、かかる問題を解決することを目的としている。即ち、本発明は、タクシーの乗務員が予約を失念してしまうことを抑制できるタクシーメータを提供することを目的としている。
【課題を解決するための手段】
【０００７】
請求項１に記載された発明は、上記目的を達成するために、図１の基本構成図に示すように、タクシー料金を算出する料金算出手段Ｐ１と、前記料金算出手段Ｐ１によって算出された前記タクシー料金が表示される表示部Ｄ１と、を有するタクシーメータにおいて、予約時刻、前記予約時刻に対応する予約場所と、を含む予約情報が記憶される予約情報記憶部Ｄ２と、現在時刻を取得する現在時刻取得手段Ｐ２と、前記現在時刻が前記予約時刻から所定の予告遡及時間を遡った時刻に達したとき、前記予約時刻が近づいている旨を報知する予約時間予告手段Ｐ３と、現在位置を取得する現在位置取得手段Ｐ４と、前記予告遡及時間として前記現在位置と前記予約場所との関係に応じた時間を設定する予告遡及時間設定手段Ｐ５と、を有していることを特徴とするタクシーメータである。
【０００８】
請求項２に記載された発明は、請求項１に記載された発明において、図１の基本構成図に示すように、前記料金算出手段Ｐ１が、前記現在時刻が前記予約時刻に達したとき又は達するまでに、前記タクシー料金に所定の予約料金を加算するように構成されていることを特徴とするものである。
【００１０】
請求項３に記載された発明は、請求項１又は２に記載された発明において、図１の基本構成図に示すように、遠隔地にある予約情報管理センターから送信された予約情報を無線を通じて受信する受信部Ｄ３と、前記受信部Ｄ３によって受信された前記予約情報を前記予約情報記憶部Ｄ２に記憶させる情報書込手段Ｐ６と、をさらに有していることを特徴とするものである。
【発明の効果】
【００１１】
請求項１に記載された発明によれば、予約時刻を含む予約情報が予約情報記憶部に記憶されており、現在時刻が予約時刻から所定の予告遡及時間を遡った時刻に達したとき、予約時刻が近づいている旨を報知するので、予約時刻よりも所定の予告遡及時間前に予約があることを乗務員に認識させることができ、そのため、乗務員が予約を失念してしまうことを抑制でき、迎車拒否や遅刻などを抑制できる。また、請求項１に記載された発明によれば、現在位置と予約場所との関係に応じた時間が予告遡及時間として設定されるので、例えば、現在位置と予約場所との間の距離（即ち、関係）が長いときの予告遡及時間が、その距離が短いときの予告遡及時間より長くなるように当該予告遡及時間を設定するような構成などにすることで、タクシー車両が予約場所から遠くにいるときは、予約場所への到着に時間を要するため早めに予約の予告を行い、これにより、予約場所が遠くても予約時刻に到着できるように仕向けることができ、予約場所に遅刻して到着することをより抑制でき、その一方で、タクシー車両が予約場所から近くにいるときは、予約場所に短時間で到着できるため遠くにいるときより予約時刻により近いタイミングで予告を行い、これにより、その間に他の営業走行等ができるようにすることができ、営業効率を高めることができる。
【００１２】
請求項２に記載された発明によれば、現在時刻が予約時刻に達したとき又は達するまでに、タクシー料金に所定の予約料金を加算するので、このタクシー料金の計算に応じて表示部にタクシー料金が表示されて、乗務員においてタクシー料金に予約料金が加算されたことを認識する。そのため、例えば、空車中に予約時刻に達したとき、又は、予約時刻が近づいている旨を報知したときなどに、タクシー料金に予約料金が加算されると、営業走行が開始されたとみなされて、この営業走行がタクシーの運行情報として記録され、そのキャンセルについても記録される。そのため、予約があるにもかかわらずその予約に対応しなかったことが運行情報の記録から管理者において把握可能となり、乗務員において予約に対応しない迎車拒否を抑制することができる。
【００１４】
請求項３に記載された発明によれば、遠隔地にある予約情報管理センターから送信された予約情報を無線を通じて受信して、この予約情報を予約情報記憶部に記憶させるので、例えば、タクシー無線などを通じて口頭等で連絡された予約に係る情報を乗務員において記録することを回避して、記録ミスなどによる予約時間の誤りなどを抑制することができる。
【図面の簡単な説明】
【００１５】
【図１】本発明のタクシーメータの基本構成図である。
【図２】本発明の一実施形態のタクシーメータの正面図である。
【図３】図２のタクシーメータの概略構成を示す構成図である。
【図４】（ａ）は、予約情報が受信された旨を報知するための予約情報受信報知画面の一例を示す図であり、（ｂ）は、予約時刻が近づいている旨を報知するための予約時間予告画面の一例を示す図であり、（ｃ）は、予約料金が加算されたタクシー料金が表示されることにより予約状態であることを示す予約走行画面の一例を示す図である。
【図５】図２のタクシーメータのＣＰＵが実行する本発明に係る予約情報受信処理の一例を示すフローチャートである。
【図６】図２のタクシーメータのＣＰＵが実行する本発明に係る予約予告処理の一例を示すフローチャートである。
【発明を実施するための形態】
【００１６】
以下、本発明に係るタクシーメータの一実施形態を、図２〜図６を参照して説明する。
【００１７】
図２に示すように、本実施形態のタクシーメータ１は、その正面部２に設けられた表示部１０が乗客、乗務員等から視認可能なように、営業車両としてのタクシー車両に搭載されている。この正面部２には、操作部１５が設けられており、タクシーメータ１におけるタリフ状態の切り替え等を運転者が操作可能な構成となっている。
【００１８】
タクシーメータ１は、図３に示すように、表示部１０と、中央演算処理装置（ＣＰＵ）１１と、ＲＯＭ（ｒｅａｄ  ｏｎｌｙ  ｍｅｍｏｒｙ）１２と、ＲＡＭ（ｒａｎｄｏｍ  ａｃｃｅｓｓ  ｍｅｍｏｒｙ）１３と、時計ＩＣ１４と、操作部１５と、カード挿入部１７と、音声出力部１８と、受信部及び送信部としての通信部１９と、予約情報記憶部としてのカード２５と、を有している。
【００１９】
また、タクシーメータ１は、複数の外部インタフェース（Ｉ／Ｆ）を有し、各外部インタフェースを介して、印字装置２０、ＧＰＳ（ｇｌｏｂａｌ  ｐｏｓｉｔｉｏｎｉｎｇ  ｓｙｓｔｅｍ）受信器３０、ＥＴＣ（ｅｌｅｃｔｒｏｎｉｃ  ｔｏｌｌ  ｃｏｌｌｅｃｔｉｏｎ）車載器４０の各々とＣＰＵ１１との接続が可能な構成となっている。
【００２０】
表示部１０は、液晶表示装置等が用いられＣＰＵ１１からの要求に応じて各種情報の表示を行う。表示部１０は、例えば、図２に示すような、料金表示エリアＧ１１、タリフ状態表示エリアＧ１２等を有する実車画面Ｇ１などを表示する。そして、料金表示エリアＧ１１、タリフ状態表示エリアＧ１２の各表示内容は、タクシー料金の変化、タリフ状態の変化等に応じたＣＰＵ１１からの要求に応じて更新される。
【００２１】
表示部１０は、この実車画面Ｇ１以外にも、図４（ａ）に示すような、予約情報が受信された旨を報知するための予約情報受信報知画面Ｇ２、図４（ｂ）に示すような、予約時刻が近づいている旨を報知するための予約時間予告画面Ｇ３、図４（ｃ）に示すような、予約料金が加算されたタクシー料金が表示されることにより予約状態であることを示す予約走行画面Ｇ４などを表示する。
【００２２】
ＣＰＵ１１は、タクシーメータ１における各種制御を司り、ＲＯＭ１２に記憶されている各種制御プログラムにしたがって本実施形態に係る制御を含む各種の処理を実行する。ＲＯＭ１２は、上記制御プログラムやタクシーの料金制を示す料金制情報５０、タクシー車両における後述する予約予告処理で用いられる判定基準距離、遠距離予約遡及時間、近距離予約遡及時間などの各種情報を記憶している。特に、ＲＯＭ１２は、ＣＰＵ１１を、料金算出手段Ｐ１、現在時刻取得手段Ｐ２、予約時間予告手段Ｐ３、現在位置取得手段Ｐ４、予告遡及時間設定手段Ｐ５、情報書込手段Ｐ６、予約情報受信報知手段Ｐ７、応答情報送信手段Ｐ８、などの各種手段として機能させるための制御プログラムを記憶している。そして、ＣＰＵ１１は、ＲＯＭ１２に記憶されたプログラムを実行することで、前述した各種手段として機能することになる。ＲＡＭ１３は、ＣＰＵ１１が各種の処理を実行する上において必要なデータ、プログラム等が適宜記憶される。
【００２３】
また、ＣＰＵ１１には、図示しない距離センサからトランスミッションの回転に応じたパルス状の距離信号が入力されている。この距離センサは、所定の計測単位距離（例えば、１ｍ）を走行する毎に距離信号上に１パルスを発生するように構成されており、ＣＰＵ１１は、この距離信号に基づいてタクシー車両の走行した距離を検出する。
【００２４】
時計ＩＣ１４は、日時、時刻等の時計データをＣＰＵ１１に出力する。ＣＰＵ１１は、時計ＩＣ１４からの時計データに基づいて現在時刻を取得したり、走行時間などの各種時間を計測したりする。
【００２５】
操作部１５は、空車、実車、合計、迎車、迎車待、３割増、高速、支払等のタリフ状態の変更操作用の各種操作ボタンを有している。そして、操作部１５は、各操作ボタンの操作に応じたタリフ状態データをＣＰＵ１１に出力する。例えば、操作部１５において実車ボタン１５ａが押下されるとタリフ状態が「実車」となり、合計ボタン１５ｂが押下されるとタリフ状態が「支払」となり、空車ボタン１５ｃが押下されるとタリフ状態が「空車」となる。なお、タリフ状態が、「実車（３割増、高速含む）」のとき、乗客を輸送する営業走行（即ち、賃走）を行う状態にあり、これらタリフ状態が、実車状態に相当する。また、タリフ状態が「実車」から「支払」に移行すると、賃走は終了する。
【００２６】
また、操作部１５には、予約対応可否操作スイッチ１６が設けられている。この予約対応可否操作スイッチ１６は、押しボタンスイッチ等で構成されており、タクシーメータ１の正面部２から操作可能なように設けられている。そして、予約対応可否操作スイッチ１６は、ＣＰＵ１１に接続されており、ＣＰＵ１１に向けて押圧操作に応じた信号を出力する。
【００２７】
予約対応可否操作スイッチ１６には、予約情報受信報知画面Ｇ２が表示されているときに、この予約情報受信報知画面Ｇ２に示されている予約に対応可能であることを示す対応可操作が入力され、又は、当該予約に対応不可能であることを示す対応不可操作が入力される。本実施形態において、対応可操作とは、予約対応可否操作スイッチ１６を所定時間（例えば、２秒）未満継続して押下する短押し操作であり、対応不可操作とは、予約対応可否操作スイッチ１６を、上記所定時間以上継続して押下する長押し操作である。ＣＰＵ１１は、この押圧操作に応じた信号に基づいて予約への対応可否を判定し、判定結果に応じて受信した予約情報を記憶したり、対応可否を後述する営業事務所のコンピュータに通知するための応答情報を送信したりする。
【００２８】
カード挿入部１７は、ＣＰＵ１１に接続されている。カード挿入部１７は、そこに挿入されたメモリカード、ＩＣカード等の可搬型記憶媒体としてのカード２５に指定されたデータ等の書き込み、読み込みを行う。カード２５のカード挿入部１７に対する挿入・抜去は手動又は自動で行う。また、カード２５は、売り上げなどの営業情報や運行情報などが書き込まれ、その後、カード２５はこれら各情報を解析する解析装置に取り付けられて、タクシーメータによって書き込まれた各情報が該解析装置に取り込まれる。
【００２９】
また、カード２５には、予約時刻及び予約場所を含む予約情報が記憶される。カード２５には、タクシーの営業事務所などに設置されている予約の管理を行うためのコンピュータ（即ち、予約情報管理センター）などによって、乗務員に渡される前に予め予約情報が書き込まれたり、または、営業事務所以外の場所で上記コンピュータから無線を通じて受信した予約情報が書き込まれたりする。
【００３０】
音声出力部１８は、各種音声及び効果音を生成するための周知の図示しない音声ＩＣと、音声ＩＣが生成した各種音声や効果音を出力する図示しないスピーカと、で構成されている。音声出力部１８は、ＣＰＵ１１からの出力要求に基づいて、例えば、タクシー料金を報知する音声やシートベルトの着用を促す音声等を含む各種音声及び効果音などを出力する。音声出力部１８は、これ以外にも、予約に係る音声や効果音（例えば、ブザー音）などを出力する。
【００３１】
通信部１９は、例えば、公衆無線通信回線を利用した無線通信が可能な通信モジュールで構成されており、この通信部１９は、ＣＰＵ１１の制御に応じて、無線通信により各種情報を送受信する。
【００３２】
印字装置２０は、周知であるプリンタ等が用いられ、外部インタフェースを介してＣＰＵ１１に接続されている。印字装置２０は、ＣＰＵ１１の制御によってタクシー料金の支払い時に領収書等を出力する。本実施形態において、印字装置２０は、外部機器として接続されるが、タクシーメータに組み込まれていてもよい。
【００３３】
ＧＰＳ受信器３０は、タクシー車両の現在位置を特定するために、ＧＰＳを構成する複数の人工衛星が発射する電波を受信して、このＧＰＳ受信器３０の現在の位置情報を求め、この現在の位置情報を、外部インタフェースを介してＣＰＵ１１に出力している。ＣＰＵ１１は、ＧＰＳ受信器３０が出力した上記現在の位置情報に基づいて、タクシー車両の現在位置を検出する。
【００３４】
ＥＴＣ車載器４０は、タクシー車両のダッシュボード等に搭載されている。ＥＴＣ車載器４０は、周知であるように、有料道路上のゲートに設置された無線式の料金処理装置との間で無線通信を行い、装着されたカードに記憶されている電子現金情報によって有料道路における通行料金の自動収受を行う自動料金収受システム（ＥＴＣ）に用いられるものである。ＥＴＣ車載器４０は、路側器から電波信号を受信すると、該電波信号はデジタル情報である受信情報に変換されて受信情報としてＣＰＵ１１に出力する構成となっている。
【００３５】
上述したタクシーメータ１は、例えば、タクシー料金計算処理として、ＣＰＵ１１が、ＲＯＭ１２に記憶している料金制情報５０とタクシーの走行距離と走行時間とに基づいてタクシー料金を算出し、そのタクシー料金を図２に示すように表示する実車画面Ｇ１を表示するための運行中画面情報を生成し、該運行中画面情報の表示を表示部１０に要求することで、表示部１０が実車画面Ｇ１を表示する。
【００３６】
次に、上述したＣＰＵ１１が実行する本発明に係る処理（予約情報受信処理、予約予告処理）の一例を、図５、図６に示すフローチャートを参照して以下に説明する。
【００３７】
まず、図５に示す予約情報受信処理について説明する。
【００３８】
タクシーメータ１に電源が投入されると、ＣＰＵ１１は、タリフ状態を「空車」にするなどの所定の初期化処理を実行したのち、上述したタクシー料金計算処理などと並行して、図５のフローチャート（予約情報受信処理）のステップＳ１１０に処理を進める。
【００３９】
ステップＳ１１０では、通信部１９において、営業事務所にあるコンピュータから送信された予約情報が受信されるまで待ち（Ｓ１１０でＮ）、予約情報が受信されるとステップＳ１２０に進む（Ｓ１１０でＹ）。
【００４０】
ステップＳ１２０では、表示部１０に対して予約情報受信報知画面Ｇ２を表示することを要求する信号を送信する。表示部１０では、この信号を受けて予約情報受信報知画面Ｇ２を表示する。また、音声出力部１８に対して、予約情報を受信した旨を報知する音声メッセージ等の出力を要求する信号を送信する。音声出力部１８は、この信号を受けて、例えば、「ピピッ、予約情報を受信しました」などの音声メッセージ等を出力する。そして、ステップＳ１３０に進む。
【００４１】
ステップＳ１３０では、予約対応可否操作スイッチ１６に対応可操作が入力されたか否かを判定して、対応可操作が入力されたとき、通信部１９にて受信された予約情報に係る予約に対応するものとして、ステップＳ１５０に進み（Ｓ１３０でＹ）、対応可操作が入力されていないとき、ステップＳ１４０に進む（Ｓ１３０でＮ）。
【００４２】
ステップＳ１４０では、予約対応可否操作スイッチ１６に対応不可操作が入力されたか否かを判定して、対応不可操作が入力されたとき、通信部１９にて受信された予約情報に係る予約に対応しないものとして、ステップＳ１７０に進み（Ｓ１４０でＹ）、対応不可操作が入力されていないとき、予約対応可否操作スイッチ１６に未だ操作が入力されていないものとしてステップＳ１３０に戻る（Ｓ１４０でＮ）。
【００４３】
ステップＳ１５０では、通信部１９にて受信された予約情報を、カード挿入部１７を通じてカード２５に書き込む（即ち、カード２５に記憶させる）。そして、ステップＳ１６０に進む。
【００４４】
ステップＳ１６０では、通信部１９を通じて営業事務所にあるコンピュータに、予約情報に係る予約に対応可能であることを示す対応可応答情報を送信する。そして、本フローチャートの処理を終了したのち、再度、ステップＳ１１０から処理を開始する。
【００４５】
ステップＳ１７０では、通信部１９を通じて営業事務所にあるコンピュータに、予約情報に係る予約に対応不可能であることを示す対応不可応答情報を送信する。そして、本フローチャートの処理を終了したのち、再度、ステップＳ１１０から処理を開始する。
【００４６】
次に、図６に示す予約予告処理について説明する。
【００４７】
タクシーメータ１に電源が投入されると、ＣＰＵ１１は、所定の初期化処理を実行したのち、上述したタクシー料金計算処理、予約情報受信処理などと並行して、図６のフローチャート（予約予告処理）のステップＴ１１０に処理を進める。
【００４８】
ステップＴ１１０では、カード２５に記憶されている予約情報に含まれる予約時刻及び予約場所を、カード挿入部１７を通じて読み出す。そして、ステップＴ１２０に進む。また、カード２５に予約情報が記憶されていない場合は、本フローチャートの処理を終了したのち、再度、ステップＴ１１０から処理を開始する。
【００４９】
ステップＴ１２０では、ＧＰＳ受信器３０から出力された現在の位置情報に基づいて、タクシー車両の現在位置を取得する。そして、ステップＴ１３０に進む。
【００５０】
ステップＴ１３０では、ステップＴ１１０で読み出した予約場所とステップＴ１２０で取得した現在位置との間の距離が、ＲＯＭ１２に記憶された判定基準距離（例えば、５ｋｍ）以上離れているか否かを判定し、当該距離が判定基準距離以上離れているときは、ステップＴ１４０に進み（Ｔ１３０でＹ）、当該距離が判定基準距離以上離れていないときは、ステップＴ１５０に進む（Ｔ１３０でＮ）。この判定基準距離については、タクシーメータ１の設定などにより値を変更可能なようにしてもよい。
【００５１】
ステップＴ１４０では、予約時刻より遡って予約を予告する時間である予約遡及時間として、所定の遠距離予約遡及時間（例えば、３０分）を設定する。そして、ステップＴ１６０に進む。
【００５２】
ステップＴ１５０では、予約遡及時間として、所定の近距離予約遡及時間（例えば、１０分）を設定する。そして、ステップＴ１６０に進む。
【００５３】
ステップＴ１６０では、時計ＩＣ１４からの時計データに基づいて現在時刻を取得する。そして、ステップＴ１７０に進む。
【００５４】
ステップＴ１７０では、ステップＴ１６０で取得した現在時刻が、ステップＴ１１０で取得した予約時刻からステップＴ１４０又はＴ１５０で設定された予約遡及時間を遡った時刻に達したか否かを判定し、現在時刻が当該時刻に達していたとき、予約の予告をすべき時刻に達したものとして、ステップＴ１８０に進み（Ｔ１７０でＹ）、現在時刻が当該時刻に達していなかったとき、ステップＴ１２０に戻る（Ｔ１７０でＮ）。
【００５５】
ステップＴ１８０では、表示部１０に対して予約時間予告画面Ｇ３を表示することを要求する信号を送信する。表示部１０では、この信号を受けて予約時間予告画面Ｇ３を表示する。また、音声出力部１８に対して、予約時刻が近づいている旨を報知する音声メッセージ等の出力を要求する信号を送信する。音声出力部１８は、この信号を受けて、例えば、「ポーン、予約時刻が近づいています。時間に余裕を持って行動しましょう」などの音声メッセージ等を出力する。そして、ステップＴ１９０に進む。
【００５６】
ステップＴ１９０では、現在時刻が予約時刻に達するまで待ったのち（Ｔ１９０でＮ）、ステップＴ２００に進む（Ｔ１９０でＹ）。
【００５７】
ステップＴ２００では、空車状態においてタクシー料金に予約料金を加算する。そして、ステップＴ２１０に進む。
【００５８】
ステップＴ２１０では、表示部１０に対して予約走行画面Ｇ４を表示することを要求する信号を送信する。表示部１０では、この信号を受けて予約料金が加算されたタクシー料金の表示を含む予約走行画面Ｇ４を表示する。また、音声出力部１８に対して、予約状態になったことを示す音声メッセージ等の出力を要求する信号を送信する。音声出力部１８は、この信号を受けて、例えば、「ポーン、予約時刻になりました」などの音声メッセージ等を出力する。そして、本フローチャートの処理を終了した後、再度、ステップＴ１１０から処理を開始する。
【００５９】
上述したステップＴ１６０が、請求項中の現在時刻取得手段Ｐ２に相当し、ステップＴ１８０が、請求項中の予約時間予告手段Ｐ３に相当し、ステップＴ１２０が、請求項中の現在位置取得手段Ｐ４に相当し、ステップＴ１４０、Ｔ１５０が、請求項中の予告遡及時間設定手段Ｐ５に相当し、ステップＴ２００が、請求項中の料金算出手段Ｐ１に相当し、ステップＳ１５０が、請求項中の情報書込手段Ｐ６に相当し、ステップＳ１２０が、予約情報受信報知手段Ｐ７に相当し、ステップＳ１６０、Ｓ１７０が、応答情報送信手段Ｐ８に相当する。
【００６０】
次に、上述したタクシーメータ１における本発明に係る動作（作用）の一例について説明する。
【００６１】
タクシーメータ１は、営業事務所に設置された予約情報管理センターとしてのコンピュータから無線を通じて予約情報を受信すると、表示部１０に予約情報受信報知画面Ｇ２を表示して、予約情報を受信した旨を報知する（Ｓ１１０、Ｓ１２０）。そして、この予約情報受信報知画面Ｇ２が表示されている状態で、予約対応可否操作スイッチ１６に、短押し操作（即ち、対応可操作）が入力されると、受信した予約情報をカード２５に書き込んだ後、予約に対応可能であることを示す対応可応答情報を無線を通じて上記コンピュータに送信する（Ｓ１３０でＹ、Ｓ１５０、Ｓ１６０）。または、この予約情報受信報知画面Ｇ２が表示されている状態で、予約対応可否操作スイッチ１６に、長押し操作（即ち、対応不可操作）が入力されると、受信した予約情報を破棄して（具体的には、予約情報をカード２５に書き込まない）、予約に対応不可能であることを示す対応不可応答情報を無線を通じて上記コンピュータに送信する（Ｓ１３０でＮ、Ｓ１４０でＹ、Ｓ１７０）。
【００６２】
また、上記動作と並行して、タクシーメータ１は、カード２５に予約情報が記憶されていると、当該予約情報に含まれる予約場所を読み出してタクシー車両の現在位置と比較する（Ｔ１１０、Ｔ１２０、Ｔ１３０）。そして、現在位置と予約場所との間の距離が比較的遠い場合は、予約遡及時間として長めの遠距離予約遡及時間を設定し、比較的近い場合は、予約遡及時間として短めの近距離予約遡及時間を設定する（Ｔ１４０、Ｔ１５０）。つまり、現在位置と予約場所との関係としてそれらの間の距離に応じた時間が予告遡及時間として設定される。そして、当該予約情報に含まれる予約時刻を読み出して、現在時刻が、予約時刻に対して予約遡及時間前の時刻（例えば、予約時刻が１５：００で予約遡及時間が３０分だとすると、当該時刻は１４：３０）になると、予約時間予告画面Ｇ３を表示して、予約時間が近づいている旨を報知する（Ｔ１１０、Ｔ１６０、Ｔ１７０でＹ、Ｔ１８０）。そのあと、現在時刻が、予約時刻になると予約走行画面Ｇ４を表示して、予約状態になったことを示す（Ｔ１９０でＹ、Ｔ２００、Ｔ２１０）。
【００６３】
上述したように、本実施形態のタクシーメータ１は、タクシー料金を算出するＣＰＵ１１（料金算出手段Ｐ１）と、ＣＰＵ１１によって算出されたタクシー料金が表示される表示部１０（表示部Ｄ１）と、を有するタクシーメータ１において、予約時刻を含む予約情報が記憶されるカード２５（予約情報記憶部Ｄ２）と、現在時刻を取得するＣＰＵ１１（現在時刻取得手段Ｐ２）と、現在時刻が予約時刻から所定の予告遡及時間を遡った時刻に達したとき、予約時刻が近づいている旨を報知するＣＰＵ１１（予約時間予告手段Ｐ３）と、を有している。
【００６４】
また、ＣＰＵ１１（料金算出手段Ｐ１）が、現在時刻が予約時刻に達したときに、タクシー料金に所定の予約料金を加算するように構成されている。
【００６５】
また、予約情報には、予約時刻に対応する予約場所がさらに含まれ、タクシーメータ１が、現在位置を取得するＣＰＵ１１（現在位置取得手段Ｐ４）と、予告遡及時間として現在位置と予約場所との関係に応じた時間を設定するＣＰＵ１１（予告遡及時間設定手段Ｐ５）と、をさらに有している。
【００６６】
また、遠隔地にある営業事務所のコンピュータ（予約情報管理センター）から送信された予約情報を無線を通じて受信する通信部１９（受信部Ｄ３）と、通信部１９によって受信された予約情報をカード２５に記憶させるＣＰＵ１１（情報書込手段Ｐ６）と、をさらに有している。
【００６７】
また、予約に対応可能であることを示す対応可操作、及び、対応不可能であることを示す対応不可操作が入力される予約対応可否操作スイッチ１６（操作部Ｄ４）と、通信部１９によって予約情報が受信されたときにその旨を報知するＣＰＵ１１（予約情報受信報知手段Ｐ７）と、をさらに有し、ＣＰＵ１１（情報書込手段Ｐ６）が、ＣＰＵ１１によって予約情報が受信された旨が報知されている状態で予約対応可否操作スイッチ１６に対応可操作が入力されたとき、予約情報をカード２５に記憶させ、対応不可操作が入力されたとき予約情報を破棄するように構成されている。
【００６８】
また、遠隔地にある営業事務所のコンピュータに所定の情報を無線を通じて送信する通信部１９（送信部Ｄ５）と、予約対応可否操作スイッチ１６に対応可操作が入力されたとき、通信部１９から予約に対応可能であることを示す対応可応答情報を送信し、対応不可操作が入力されたとき、予約に対応不可能であることを示す対応不可応答情報を送信するＣＰＵ１１（応答情報送信手段Ｐ８）と、をさらに有している。
【００６９】
また、カード２５が、可搬型記憶媒体で構成されている。
【００７０】
以上より、本実施形態によれば、予約時刻を含む予約情報がカード２５に記憶されており、現在時刻が予約時刻から所定の予告遡及時間を遡った時刻に達したとき、予約時刻が近づいている旨を報知（即ち、予約時間予告画面Ｇ３の表示）するので、予約時刻よりも所定の予告遡及時間前に予約があることを乗務員に認識させることができ、そのため、乗務員が予約を失念してしまうことを抑制でき、迎車拒否や遅刻などを抑制できる。
【００７１】
また、現在時刻が予約時刻に達したとき、タクシー料金に所定の予約料金を加算するので、このタクシー料金の計算に応じて表示部１０にタクシー料金を表示（即ち、予約走行画面Ｇ４の表示）され、乗務員においてタクシー料金に予約料金が加算されたことを認識する。そのため、例えば、空車中に予約時刻に達すると、タクシー料金に予約料金が加算されて営業走行が開始されたとみなされ、この営業走行がタクシーの運行情報として記録されて、そのキャンセルについても記録される。そのため、予約があるにもかかわらずその予約に対応しなかったことが運行情報の記録から管理者において把握可能となり、乗務員において予約に対応しない迎車拒否を抑制することができる。
【００７２】
また、現在位置と予約場所との間の距離が長いときの予告遡及時間が、その距離が短いときの予告遡及時間より長くなるように当該予告遡及時間を設定するので、例えば、タクシー車両が予約場所から遠くにいるときは、予約場所への到着に時間を要するため早めに予約の予告を行い、これにより、予約場所が遠くても予約時刻に到着できるように仕向けることができ、予約場所に遅刻して到着することをより抑制でき、その一方で、タクシー車両が予約場所から近くにいるときは、予約場所に短時間で到着できるため遠くにいるときより予約時刻により近いタイミングで予告を行い、これにより、その間に他の営業走行等ができるようにすることができ、営業効率を高めることができる。
【００７３】
また、遠隔地にある営業事務所のコンピュータから送信された予約情報を無線を通じて受信して、この予約情報をカード２５に記憶させるので、例えば、タクシー無線などを通じて口頭等で連絡された予約に係る情報を乗務員において記録することを回避して、記録ミスなどによる予約時間の誤りなどを抑制することができる。
【００７４】
また、通信部１９によって予約情報が受信されたときにその旨を報知（即ち、予約情報受信報知画面Ｇ２の表示）して、この報知がされている状態で予約に対応可能であることを示す対応可操作が予約対応可否操作スイッチ１６に入力されたとき、予約情報をカード２５に記憶させ、予約に対応不可能であることを示す対応不可操作が入力されたとき、予約情報を破棄するように構成されているので、乗務員自らに予約への対応可否を選択させることにより、乗務員に予約があることを認識させるとともに、予約に対応しない迎車拒否を抑制することができる。
【００７５】
また、予約対応可否操作スイッチ１６に対応可操作が入力されたとき、通信部１９から予約に対応可能であることを示す対応可応答情報を予約情報管理センター送信し、対応不可操作が入力されたとき、予約に対応不可能であることを示す対応不可応答情報を送信するので、タクシーメータ側で行われた操作に応じて、営業事務所のコンピュータ側で予約への対応可否を迅速に把握することができ、タクシーの配車効率を高めることができる。
【００７６】
また、予約情報が記憶されるカード２５が、可搬型記憶媒体で構成されているので、例えば、営業事務所のコンピュータ等においてこのメモリカードなどで構成されたカード２５に予約情報を記憶させて業務開始前に乗務員に渡すことができ、このカード２５をタクシーメータ１のカード挿入部１７に取り付けることで予約時間の予告が可能となり、単に業務連絡書等で予約に係る情報を乗務員に連絡した場合に比べて、乗務員が予約を失念してしまうことを抑制できる。
【００７７】
上述した本実施形態では、カード２５に記憶された予約情報は、営業事務所において予めカード２５に記憶されていたり、無線を通じて受信したものが自動的に記憶されたりするように構成されていたが、これらに限定されるものではなく、例えば、タクシー無線や業務連絡書などによって連絡された予約情報を、乗務員が操作部１５を操作すること等により手動でカード２５に記憶させるように構成されていてもよい。
【００７８】
また、本実施形態では、タクシー車両の現在位置と予約場所との間の距離に応じて、予約遡及時間として遠距離予約遡及時間又は近距離予約遡及時間が設定される構成であったが、これに限定されるものではない。例えば、予約遡及時間の設定値を上記距離に応じて上記遠距離及び近距離の２段階よりさらに細かく設定してもよい。または、現在位置と予約場所との間の距離以外にも、現在位置と予約場所とを結ぶルートの道路種別（高速道／一般道）や、当該ルートの混雑状況などに応じて、予約場所に行くまでに要する時間に所定のマージンを含めた時間を予告遡及時間として設定するなど、現在位置と予約場所との関係に応じた時間を予告遡及時間として設定するものであれば、本発明の目的に反しない限り、予告遡及時間の設定方法は任意である。または、現在位置と予約場所との距離などに関係なく１の予約遡及時間のみが設定された構成でもよい。
【００７９】
また、本実施形態では、現在時刻が予約時刻に達すると、タクシー料金に予約料金を加算する構成であったが、これに限定されるものではなく、例えば、予約時間予告画面Ｇ３を表示するタイミングで、タクシー料金に予約料金を加算して、当該タクシー料金を予約時間予告画面Ｇ３に含めて表示するなど、現在時刻が予約時刻に達したとき又は達するまでに、タクシー料金に所定の予約料金を加算するものであれば、本発明の目的に反しない限り、予約料金の加算のタイミングは任意である。または、現在時刻が予約時刻に達すると、タクシー料金に予約料金を加算せずに、予約時間に達したことのみを報知する画面を表示する構成などとしてもよい。
【００８０】
また、本実施形態では、無線を通じて受信した予約情報をカード２５に書き込むことが可能な構成であったが、これに限定されるものではなく、このような無線通信機能を有さず、予約情報が、営業事務所などにおいて予めカード２５に書き込まれていたり、乗務員によって手動で書き込まれたりする構成などであってもよい。または、予約情報について無線を通じた書き込みのみ可能とする構成などであってもよい。
【００８１】
また、本実施形態では、無線を通じて予約情報を受信したとき、予約情報を受信した旨を報知して、その後に入力された操作に基づいて予約情報をカード２５に記憶したり又は破棄したりする構成であったが、これに限定されるものではない。例えば、無線を通じて予約情報を受信すると、予約情報を受信した旨を報知することなく、又は、報知は行うものの操作入力を待たずに、予約情報を自動的にカード２５に書き込む構成などであってもよい。
【００８２】
また、本実施形態では、予約情報が、可搬型記憶媒体であるカード２５に記憶される構成であったが、これに限定されるものではなく、例えば、タクシーメータ１に据え付けられたハードディスクや不揮発性メモリなどの固定記憶媒体を設けて、このような固定記憶媒体に予約情報が記録された構成であってもよい。
【００８３】
また、本実施形態では、予約情報受信報知画面Ｇ２、予約時間予告画面Ｇ３、予約走行画面Ｇ４の表示と同時に、これら各画面に対応する音声メッセージ等を出力する構成であったが、これに限定されるものではなく、画面表示のみ、または、音声メッセージ等の出力のみ行う構成であってもよい。
【００８４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００８５】
１        タクシーメータ
１０      表示部
１１      ＣＰＵ（料金算出手段、現在時刻取得手段、予約時間予告手段、現在位置取得手段、予告遡及時間設定手段、情報書込手段、予約情報受信報知手段、応答情報送信手段）
１５      操作部
１６      予約対応可否操作スイッチ（操作部）
１９      通信部（受信部、送信部）
２５      カード（予約情報記憶部）
Ｇ１      実車画面
Ｇ２      予約情報受信通知画面
Ｇ３      予約時間予告画面
Ｇ４      予約走行画面
【図１】
0005912674.tif 000002
【図２】
0005912674.tif 000003
【図３】
0005912674.tif 000004
【図４】
0005912674.tif 000005
【図５】
0005912674.tif 000006
【図６】
0005912674.tif 000007